(57)【要約】  背面から座面まで身体の姿勢変化に追従することより、身体支持機能を発揮し、着座感を向上させることができる椅子を提供することを課題とし、  布帛によって一体的に形成された座面部と背面部とを有する椅子であって、布帛は、（ａ）フレームに張設されるとともに、（ｂ）椅子前方から見たとき、（ｂ−１）座面部では左右方向および奥行き方向のいずれか一方の方向にわたってフレームに固定され、背面部では椅子の少なくとも上下方向にわたってフレームに固定され、または（ｂ−２）座面部では少なくとも奥行き方向にわたってフレームに固定され、背面部では左右方向にフレームに固定され、（ｃ）座面部と背面部との間でフレームに固定されていない自由部が布長において１５０ｍｍ〜７５０ｍｍの範囲内で存在することを特徴とする椅子とする。
2019150827.tif 000002
【特許請求の範囲】
【請求項１】
布帛によって一体的に形成された座面部と背面部とを有する椅子であって、布帛は、
（ａ）フレームに張設されるとともに、
（ｂ）椅子前方から見たとき、（ｂ−１）座面部では左右方向および奥行き方向のいずれか一方の方向にわたってフレームに固定され、背面部では椅子の少なくとも上下方向にわたってフレームに固定され、または（ｂ−２）座面部では少なくとも奥行き方向にわたってフレームに固定され、背面部では左右方向にフレームに固定され、
（ｃ）座面部と背面部との間でフレームに固定されていない自由部が布長において１５０ｍｍ〜７５０ｍｍの範囲内で存在する
ことを特徴とする椅子。
【請求項２】
前記座面部における布帛のバネ定数が１０Ｎ／ｍｍ以上４５Ｎ／ｍｍ以下であることを特徴とする、請求項１記載の椅子。
【請求項３】
前記座面部における布帛の引張弾性係数は３０Ｎ／ｍｍ以上１５０Ｎ／ｍｍ以下であることを特徴とする、請求項１または２記載の椅子。
【請求項４】
前記布帛は、複数枚の布帛が連結されて一体に形成されていることを特徴とする、請求項１〜３いずれかに記載の椅子。
【請求項５】
クッション材が前記布帛上面の少なくとも一部に積層されていることを特徴とする、請求項１〜４いずれかに記載の椅子.
【請求項６】
前記布帛の張力を調整可能とする手段を備えていることを特徴とする、請求項１〜５いずれかに記載の椅子。
【発明の詳細な説明】
【技術分野】
【０００１】
本発明は、椅子に関する。
【背景技術】
【０００２】
従来、椅子は、多くの場合、人体の背中を支持する部分（背面部）の布帛及び臀部や大腿部を支持する部分(座面部)の布帛が、それぞれ分離されて構成され、フレームなどの支持部材にそれぞれ取付けられて支持されている。そのため、背面部及び座面部との間に空隙が形成され、その空隙付近で椅子を構成する布帛が人体を追従しにくく、特に座骨下に体圧分布が集中しやすい問題がある。また、腰が椅子によって十分に支持されないため、姿勢が固定されず、不安定であり、腰痛を誘発される問題もある。上記した点を改善する椅子として、例えば、シートクッション後部からシートバック下部にかけて、着座面を構成しうる布体をハンモック式に張架したものが知られている（特許文献１）。また、着座者の背、腰、尻および大腿に沿って柔軟に変形し着座者を支える連続した一枚の布状のテンション材で一体形成された椅子も提案されている（特許文献２）。
【先行技術文献】
【特許文献】
【０００３】
【特許文献１】実開平０６−０１７５４２号公報
【特許文献２】特開２００２−１１９３６１号公報
【発明の概要】
【発明が解決しようとする課題】
【０００４】
特許文献１に記載されている椅子は、シートクッション（座面部）とシートバック(背面部)の結合部において、身体を支持することができるものの、布片の接合位置の調整により、効果が大きく異なるものであるため、十分な支持効果を得るための接合位置を選定することが難しい。また、結合部の境界で保持力の変化が発生しやすく、分散される圧力の差により、腰を十分に支持できないため、座骨下に応力が集中し、保持力が低い部分に腰痛を誘発する可能性がある。また、特許文献２に記載の椅子では、座面部と背面部とを連続した一枚の布状のテンション材で一体形成するので、テンション材が着座者の体型に応じて変形し、座面部と背面部とで隙間なく連続的に着座者の体を支えることはできる。しかしながら、背面部でのテンション材の固定が十分ではなく、テンション材が実質的に布帛両端でのみフレームに固定されていることになるので、座り直し、姿勢変化など、上体の揺れが発生した際に、テンション材がその動きに追従し、背面部を安定に支持することが難しい。【０００５】
そこで本発明は、背面部から座面部まで身体の姿勢変化に追従でき、安定的に身体支持機能を発揮し、着座感を向上させることができる椅子を提供することを課題とする。
【課題を解決するための手段】
【０００６】
かかる課題を解決するため本発明は、次のいずれかの構成を有する。
（１）  布帛によって一体的に形成された座面部と背面部とを有する椅子であって、布帛は、
（ａ）フレームに張設されるとともに、
（ｂ）椅子前方から見たとき、（ｂ−１）座面部では左右方向および奥行き方向のいずれか一方の方向にわたってフレームに固定され、背面部では椅子の少なくとも上下方向にわたってフレームに固定され、または（ｂ−２）座面部では少なくとも奥行き方向にわたってフレームに固定され、背面部では左右方向にフレームに固定され、
（ｃ）座面部と背面部との間でフレームに固定されていない自由部が布長において１５０ｍｍ〜７５０ｍｍの範囲内で存在する
ことを特徴とする椅子。
（２）  前記座面部における布帛のバネ定数が１０Ｎ／ｍｍ以上４５Ｎ／ｍｍ以下であることを特徴とする、前記（１）記載の椅子。
（３）  前記座面部における布帛の引張弾性係数は３０Ｎ／ｍｍ以上１５０Ｎ／ｍｍ以下であることを特徴とする、前記（１）または（２）記載の椅子。
（４）  前記布帛は、複数枚の布帛が連結されて一体に形成されていることを特徴とする、前記（１）〜（３）いずれかに記載の椅子。
（５）  クッション材が前記布帛上面の少なくとも一部に積層されていることを特徴とする、前記（１）〜（４）いずれかに記載の椅子.
（６）  前記布帛の張力を調整可能とする手段を備えていることを特徴とする、前記（１）〜（５）いずれかに記載の椅子。
【発明の効果】
【０００７】
本発明の椅子は、布帛によって一体的に形成された座面部と背面部とを有することで、着座者の身体を連続的に支持することができ、ほぼ理想的な保持力が確保される。特に、フレームに固定されない自由部が一定の範囲内の長さで布帛に存在することにより、座り直しや姿勢変化など、上体の揺れが発生した際に、布帛がその動きに追従でき、背中から臀部及び腰下部までを安定的に支持することができる。そして布帛と着座者との接触面積の拡大により、体圧がより広く分散され、着座感も向上する。
【図面の簡単な説明】
【０００８】
【図１】図１は、本発明を適用した事務用椅子の後斜め方向からの斜視図である。
【図２】図２は、本発明を適用した事務用椅子の前斜め方向からの斜視図である。
【図３】図３は、本発明を適用した事務用椅子の張力調整手段の図である。
【図４】図４は、実施例１、２、５での布帛固定部を示す、椅子の前斜め方向からの斜視図である。
【図５】図５は、実施例３、６での布帛固定部を示す、椅子の前斜め方向からの斜視図である。
【図６】図６は、実施例４、比較例３での布帛固定部を示す、椅子の前斜め方向からの斜視図である。
【図７】図７は、実施例７での布帛固定部を示す、椅子の前斜め方向からの斜視図である。
【図８】図８は、比較例１での布帛固定部を示す、椅子の前斜め方向からの斜視図である。
【図９】図９は、比較例２での布帛固定部を示す、椅子の前斜め方向からの斜視図である。
【発明を実施するための形態】
【０００９】
本発明に係る椅子は、例えば図１に示すように、布帛によって一体的に形成された座面部と背面部とを有する椅子であって、布帛は、
（ａ）フレームに張設されるとともに、
（ｂ）椅子前方から見たとき、（ｂ−１）座面部では左右方向および奥行き方向のいずれか一方の方向にわたってフレームに固定され、背面部では椅子の少なくとも上下方向にわたってフレームに固定され、または（ｂ−２）座面部では少なくとも奥行き方向にわたってフレームに固定され、背面部では左右方向にフレームに固定され、
（ｃ）座面部と背面部との間でフレームに固定されていない自由部が布長において１５０ｍｍ〜７５０ｍｍの範囲内で存在する
ものである。
【００１０】
図１において、布帛３は背面部フレーム１と座面部フレーム２に張設されている。背面部フレーム１としては、椅子前方から見たときに左右（着座者の側面）に位置する左右フレーム部を有していればいいが、椅子としての機械的強度を高める観点から、図１に示すように略コの字状に形成されることが好ましい。図１に示す略コの字状の背面部フレーム１は、水平方向に横断するように配される上段フレーム部と、この上段フレーム部の両端部から（もしくは両端部を通るように）伸び、互いに対向して配置された一対の左右フレーム部からなる。座面部フレーム２も、椅子前方から見たときに左右（着座者の側面）にかつ奥行き方向に対向配置される一対の奥行きフレーム部を有していればいいが、椅子としての機械的強度を高める観点から、略コの字状に形成されることが好ましい。略コの字状の座面部フレーム２は、水平方向に横断するように配される下段フレーム部と、この下段フレーム部の両端部から（もしくは両端部を通るように）伸び、互いに対向して配置された一対の奥行きフレーム部からなることが好ましい。
【００１１】
背面部フレーム１と座面部フレーム２としては、その２つのフレームが一体成形されたフレームを用いることもできるが、本実施形態のように、別々に成形したフレームを連結して用いることが好ましい。背面部フレーム１と座面部フレーム２が別々に成形されたものであることにより、二つのフレームの間隔と角度を適宜調整することができるので、姿勢変化及び体格差により容易に対応可能となる。
【００１２】
座面部と背面部とを一体的に形成する布帛は、連続した１枚の布帛が椅子前方から見たとき、座面部では左右方向および奥行き方向のいずれか一方の方向にわたってフレームに固定され、背面部では椅子の少なくとも上下方向にわたってフレームに固定されるか、または、座面部では少なくとも奥行き方向にわたってフレームに固定され、背面部では左右方向にフレームに固定される。
【００１３】
中でも、布帛は、その一部が背面部の左右において背面部フレーム１の上下方向にわたって固定され、座面部の前方において座面部フレーム２の左右方向に固定されることが好ましい。これにより、座り直し、姿勢変化など、上体の揺れが発生した際にも、布帛がその動きにより追従しやすく、背面部をより安定に支持することができる。
【００１４】
さらに、前記の布帛には、座面部と背面部との間でフレームに固定されない自由部が１５０ｍｍ〜７５０ｍｍの範囲内で存在することが重要である。かかる自由部が１５０ｍｍ以上であることにより、より腰部及び臀部を追従しやすくなり、より支持力が高まる。自由部は２００ｍｍ以上であることがより好ましく、２５０ｍｍ以上であることがさらに好ましい。自由部が１５０ｍｍを下回る場合、腰部及び臀部と布帛との接触面積が十分なものとはならず、特に、最も大きい荷重がかかる臀部のみが自由部に支持されることになるので、その部分が大きく変形し、沈みこみやすく、さらに座骨下に体圧が集中しやすくなる。一方、自由部が７５０ｍｍ以下であることにより、着座時に臀部の沈みこみが適切なものとなる。自由部は、７００ｍｍ以下であることがより好ましく、６５０ｍｍ以下であることがさらに好ましい。
【００１５】
布帛の固定は、例えば、張設する布帛の端部に複数の孔を設け、一方フレームにはフックなどを設け、かかるフックで布帛の孔を引っ掛けることで張設することが可能である。また、布帛の固定部長さ方向にワイヤーなどの棒状部材を設け、その棒状部材をフレームに引っ掛けるようにすることもできる。棒状部材を布帛に設けるにあたっては、布帛を袋状にして、その袋状の部分に棒状部材を内挿すればよい。さらに、布帛端部に紐などの張設部材をとりつけ、かかる紐をフレームに結び付けるようにすることもできる。
【００１６】
座面部における布帛、すなわち人体の臀部が位置することになると考えられる部位の布帛は、バネ定数が１０Ｎ／ｍｍ以上４５Ｎ／ｍｍ以下であることが好ましい。このバネ定数とは、布帛をバネにみたてた数値であり、具体的には、布帛が張設された座面の中心位置を、鉛直方向に、長径３００ｍｍ×短径２５０ｍｍの楕円の加圧板により加圧したときの、荷重[Ｎ]と布帛の沈み込み量［ｍｍ］から得るものである。荷重は２００Ｎ以上までとし、荷重[Ｎ]と布帛の沈み込み量［ｍｍ］の関係をプロットし、２００Ｎ加重時のグラフ接線の傾きをバネ定数とする。なお、２００Ｎの荷重は、着座者が座面に座ったときに布帛に掛かる平均荷重と考えられる。座面部における布帛のかかるバネ定数が上記範囲であることで、椅子の人へのフィット感（なじみ易さ）が向上され着座者を快適に感じさせることができる。
【００１７】
また、座面部における布帛は、着座者の体重を支持するための十分な強度及び着座者の身体形状に合わせ適宜変形して程良いフィット感を与えるため、一定の荷重で伸び止まる引張弾性係数を持つ布帛が好ましい。具体的には３０Ｎ／ｍｍ以上１５０Ｎ／ｍｍ以下であることが好ましい。布帛の引張弾性係数を上記範囲にすることで、通常の使用においては十分な伸長性を持つ一方、異常な荷重が負荷されたときには伸び止まり、姿勢変化に追従しつつも身体を支持することができる。すなわち、適度な引張弾性係数を備えた布帛は姿勢変化に適度に伸び、身体に追従し、身体を支持させることが出来る。なお、引張弾性係数の評価にあたっては、３４０Ｎ／５ｃｍの荷重を負荷するが、この負荷は、人が通常の動作で行うような着座の際の荷重を想定しているものである。
【００１８】
また、布帛は一つから成るものでもいいが、図７のように複数枚の布帛を連結し一枚にしたものが好ましい。例えば、背面部の上部に固定される布帛は座面部に固定される布帛より、引張弾性係数が低いものにすることが好ましい。布帛を上記構成にすることで、背面部の上部は相対的に伸びやすく、相対的に低い荷重がかかる上半身をホールドし、背面部の下部及び座面部は、相対的に高い荷重がかかる下半身を、沈み込みなく、適度に伸び、支持するなど、各部位にかかる荷重に合わせ、適宜変形し、身体を支持することが可能である。また、上記構成の椅子を車輌のシートに用いた場合は、背面の下部及び座面部は、ペダル操作および急激な速度変化による骨盤の動きを抑制するなど、布帛が各部位における動きを制御する機能を付与することも可能である。
【００１９】
複数枚の布帛の連結手段は当技術分野で通常行われているものであれば、特に制限されずに採用することができ、例えば、縫製、接着、振動溶着なども含まれる。
【００２０】
本発明において、布帛の形態としては、織物、編物のいずれであってもよく、従来公知の方法によって製造することができる。織物は、平織、綾織、朱子織や、これらの組織を組み合わせた二重織等の組織を用途に応じて適宜選定することができる。また、編物は、よこ編み、たて編み等のいずれであってもよい。なかでも、織物が好ましい。材質、繊維太さ、組織、機械的特性を代えることにより、硬度、弾力、フィット性を容易にコントロールすることができる。
【００２１】
また、布帛を構成する材料はとくに限定されないが、例えば、熱可塑性樹脂が好ましく、繊維状に成形可能で、繊維構造体にした際に布帛として要求される弾性係数、伸長率を発揮できるものが好ましい。その他、合成繊維、天然繊維などを特に限定することなく用いることができる。具体的には、ポリエチレンテレフタレート（ＰＥＴ）、ポリブチレンテレフタレート（ＰＢＴ）などに代表される熱可塑性ポリエステル樹脂類、ナイロン６、ナイロン６６などに代表されるポリアミド樹脂類、ポリエチレン、ポリプロピレンなどに代表されるポリオレフィン樹脂類、あるいはこれらの樹脂を２種類以上混合した樹脂などを用いることができる。また、撚糸や仮撚糸や他のポリエステルとの混繊糸でも構わないが、コストや耐久性、および強度の観点から長繊維であることが好ましい。また所望する特性が得られるのであればレザーや合成レザー、メッシュ材、不織布、フィルムなどであってもよい。
【００２２】
本発明の椅子においては、クッション材が前記の布帛の上面の少なくとも一部に積層されることも好ましい。本発明の椅子は、例えば、シートカバーが積層配置されて使われることも好ましいが、前述の布帛と最終的にシート表面を形成するシートカバーとの間に、クッション材が積層配置することも好ましい。クッション材は、振動・衝撃を吸収、減衰するものであり、着座時の入力荷重を分散し、着座者への反力をきわめて小さくすることができる補助的な手段であることが好ましい。クッション材は、例えば硬軟や厚さを考慮し、樹脂製繊維の詰め物でも良いが、ウレタンフォームが好ましい。
【００２３】
さらに、本発明の椅子には、布帛の張力を調整可能とする手段を設けることが好ましい。張力調整可能手段を利用することにより姿勢変化及び体格差にさらに容易に対応可能となる。ここで、図３に張力調整手段５を示す。これは、布帛３の一端を巻き取る装置であり、巻取り量を調整することにより、布帛の張力を調整可能とするものである。図示しないが、座面部フレーム２の前後方向へスライドし、布帛の張力を調整可能なスライド装置を設けることもできる。
【実施例】
【００２４】
次に、本発明の椅子について、実施例に基づいて説明する。実施例において用いた特性の測定方法は、下記のとおりである。【００２５】
１．布帛のバネ定数
ＪＩＳ−Ｋ−６４００−２（２０１２）  Ｅ法を参考とし、シート用静荷重撓み試験機(日本電産シンポ株式会社製ＦＧＳ−ＴＶ特、２軸手動走行仕様)を用い、Ｒ３０付き楕円板（短径２５０ｍｍ×長径φ３００ｍｍ）の加圧治具の中心を座面の中心位置（ヒップポイント（ＪＡＳＯ  Ｚ−２２１によるシートに着座したときの人体マネキンの胴体と大腿部の回転中心に相当するポイント））にあわせ、布帛に接する位置を初期位置（０Ｎ）とし、試験を開始する。加圧速度２７０ｍｍ／ｍｉｎで、２００Ｎ以上の荷重まで加圧し、２００Ｎ荷重時の荷重と座面沈み込み量［ｍｍ]とのグラフ接線の傾きをそれぞれ５つのサンプルについて測定し、その平均を算出した。【００２６】
２．引張弾性係数
ＪＩＳ−Ｌ−１０９６（２０１０）  ８．１４．１  Ａ法を参考とし、定速伸長型試験機を用い、直径３００ｍｍの円形の試験片を、椅子前方から見たとき、左右方向と平行方向に２００ｍｍのつかみ間隔、５０ｍｍのつかみ幅にて、引張速度２００ｍｍ／分で引っ張り、測定を行った。引張荷重−ひずみ結果の曲線において、３４０Ｎ／５ｃｍ荷重を負荷した時のグラフ接線傾きをそれぞれ５つのサンプルについて測定し、その平均を算出した。【００２７】
３．着座快適性評価
被験者５名で各椅子に６０分間着座し、官能評価を行った。着座姿勢はゆったりした着座ポジションが取れるように椅子の位置及び角度を決め、身体の各部にターゲットマークを貼り付けてヒップポイントを中心に姿勢計測を行い、着座再現性を確保できるようにした。結果は、はまり込み感、フィット感、不快感、座骨圧迫度、腰部違和感それぞれについて５点法で評定し、各評価項目について被験者５名分の点の平均を算出し、それを各評価項目の評価結果とした。さらに、５つの評価項目の評価結果の平均を算出し、これを総合評価とした。なお、評価基準は表１のとおりである。【００２８】
【表１】
2019150827.tif 000003
【００２９】
（実施例１）
緯糸として、７００ｄｔｅｘの“ハイトレル”（登録商標）モノフィラメント弾性糸（東レ・モノフィラメント（株）製Ｈ２３Ｒ−０．２７０Ｗ−ＣＪ２Ｃ）を、また、経糸として、総繊度１６７０ｄｔｅｘ−２８８フィラメントのポリエステルマルチフィラメント糸（東レ（株）製高強力ポリエスエル）に２００Ｔ／ｍの甘撚を掛けた糸を用い、緯糸密度３３本／ｉｎｃｈ（２．５４ｃｍ）、経糸密度２５本／ｉｎｃｈ（２．５４ｃｍ）として、平織の織物を作成した。得られた織物を１８０℃の温度で２分間、熱処理を行い、経糸密度２５本／ｉｎｃｈ、緯糸密度４０本／ｉｎｃｈの布帛を得た。上記布帛１枚を用い、布帛の緯糸方向が背面部フレーム１の上下方向になるように配置し、該背面部フレーム１の両側部において上下方向に固定して張設した。そして座面部フレーム２の前端部において左右方向に固定して張設し、それら固定部間で布帛がフレームに固定されない自由部が布長にして４５０ｍｍ存在するようにし、図４に示す構成の椅子を得た。着座評価を行った結果、布帛が適度に伸び、臀部及び腰下部を支持し、快適な着座性能を示した。物性評価及び着座評価結果を表２に示す。【００３０】
（実施例２）
実施例１に用いたポリエステル糸を経緯の糸に用い、緯糸密度３０本／ｉｎｃｈ、経糸密度２８本／ｉｎｃｈとして、平織の織物を作製した。得られた織物を１８０℃の温度で２分間、経方向にのみ７％オーバーフィードしながら実施例１と同じ乾熱処理を行い、経糸密度２８本／ｉｎｃｈ、緯糸密度３２本／ｉｎｃｈの布帛を得た。上記布帛の緯糸方向が椅子の左右方向になるようにし、図４に示したように、上記布帛１枚を背面部フレーム１の両側部において上下方向、そして座面部フレーム２の前端部において左右方向に固定して張設し、それら固定部間で布帛がフレームに固定されない自由部が布長にして４５０ｍｍ存在するようにして椅子を構成した。着座評価を行った結果、布帛が適度に伸び、臀部及び腰下部を支持し、快適な着座性能を示した。物性評価及び着座評価結果を表２に示す。【００３１】
（実施例３）
実施例１に用いたポリエステル糸を緯糸、７００ｄｔｅｘの“ハイトレル”（登録商標）モノフィラメント弾性糸を経糸に用い、緯糸密度３０本／ｉｎｃｈ、経糸密度２８本／ｉｎｃｈとして、平織の織物を作製した。得られた織物を１８０℃の温度で２分間、経方向に７％、緯方向に１５％オーバーフィードしながら同様な乾熱処理を行い、経糸密度３２本／ｉｎｃｈ、緯糸密度３２本／ｉｎｃｈの布帛を得た。上記布帛の緯糸方向が椅子の左右方向になるようにし、図５に示したように、１枚の布帛を、背面部フレーム１の両側部において上下方向および上端部で左右方向に、そして座面部フレーム２の両側部において奥行き方向に固定して張設し、それら固定部間で布帛がフレームに固定されない自由部が布長にして３００ｍｍ存在するようにして椅子を構成した。得られた椅子は、着座評価を行った結果、布帛が適度に伸び、臀部及び腰下部を支持し、快適な着座性能を示した。物性評価及び着座評価結果を表２に示す。【００３２】
（実施例４）
実施例２と同様な布帛を用い、布帛の緯糸方向が椅子の左右方向になるようにし、図６に示したように、１枚の布帛を、背面部フレーム１の両側部において上下方向、そして座面部フレーム２の両側部において奥行き方向に固定して張設し、それら固定部間で布帛がフレームに固定されない自由部が布長にして１７５ｍｍ存在するようにして椅子を構成した。布帛が伸び、臀部及び腰下部を支持し、やや快適な着座性能を示した。物性評価及び着座評価結果を表２に示す。【００３３】
（実施例５）
実施例１と同様な布帛を用い、布帛の緯糸方向が椅子の左右方向になるようにし、図４に示したように、上記布帛１枚を背面部フレーム１の両側部において上下方向、そして座面部フレーム２の前端部において左右方向に固定して張設し、それら固定部間で布帛がフレームに固定されない自由部が布長にして６８０ｍｍ存在するようにして椅子を構成した。着座評価を行った結果、布帛が十分に伸び、臀部及び腰下部を支持し、快適な着座性能を示した。物性評価及び着座評価結果を表２に示す。【００３４】
（実施例６)
緯糸として、繊度２３００ｄｔｅｘの“ハイトレル”（登録商標）モノフィラメント（東レ・モノフィラメント（株）製Ｈ４３Ｒ−０．４９０ＷＴ１５０）を、また、経糸として、実施例１にて経糸として使用した糸を用い、緯糸密度２６本／ｉｎｃｈ、経糸密度２７本／ｉｎｃｈとして、平織の織物を作成した。得られた織物を１６０℃の温度で２分間、経方向にのみ２０％オーバーフィードしながら乾熱処理を行ない、経糸密度２７本／ｉｎｃｈ、緯糸密度３１本／ｉｎｃｈの布帛を得た。上記布帛の緯糸方向が椅子の左右方向になるようにし、図５に示したように、連続した１枚の布帛を、背面部フレーム１の両側部において上下方向および上端部で左右方向に、そして座面部フレーム２の両側部において奥行き方向に固定して張設し、それら固定部間で布帛がフレームに固定されない自由部が布長にして３００ｍｍ存在するようにして椅子を構成した。着座が柔らかい反面、沈み量がやや大きく、快適な着座性能を示した。物性評価及び着座評価結果を表２に示す。【００３５】
（実施例７)
実施例１と同様な布帛２枚を用い、座面部および背面部下部では布帛の経糸方向が椅子の左右方向になるように、そして背面部上部では布帛の経糸方向が椅子の上下方向になるように、それら２枚を縫製し、連続した１枚の布帛を得た。連結された１枚の布帛は、椅子の上下方向の布長が８３０ｍｍで、上から３００ｍｍ、下から５３０ｍｍの位置に連結部を有していた。この布帛を、図７に示したように、背面部フレーム１の両側部において上下方向に、そして座面部フレーム２の前端部において左右方向に固定して張設し、それら固定部間で布帛がフレームに固定されない自由部が布長にして４５０ｍｍ存在するようにして椅子を構成した。着座評価を行った結果、布帛が適度に伸び、臀部及び腰下部を支持し、特に、背面部の上部は良く伸び、上半身をホールド感が得られ、快適な着座性能を示した。物性評価及び着座評価結果を表２に示す。【００３６】
（比較例１）
実施例1と同様な布帛２枚を用い、それぞれ布帛の緯糸方向が椅子の左右方向になるようにし、図８に示したように、背面部フレーム１の両側部において上下方向、そして座面部フレーム２の両側部において奥行き方向に、それぞれ固定して張設し、椅子を構成した。得られた椅子は、布帛が背面部及び座面部とで別体として構成され、互いに連結されておらず、着座時に布帛が臀部及び腰下部まで接触せず、座骨下が沈み、体圧が集中し、快適ではなかった。物性評価及び着座評価結果を表２に示す。【００３７】
（比較例２）
実施例1と同様な布帛を用い、布帛の緯糸方向が椅子の左右方向になるようにし、図９に示したように、１枚の布帛を、背面部フレーム１の上端部において左右方向に、座面部フレーム２の前端部において左右方向に固定して張設し、それら固定部間で布帛がフレームに固定されない自由部が布長にして８００ｍｍ存在するようにして椅子を構成した。得られた椅子は布帛がフレームの前後端部のみで固定され、両側部は全く固定されていないため、着座時に臀部の沈みこみが大きく、快適ではなかった。物性評価及び着座評価結果を表２に示す。【００３８】
（比較例３）
実施例1と同様な布帛を用い、布帛の緯糸方向が椅子の左右方向になるようにし、図６に示したように、１枚の布帛を、背面部フレーム１の両側部において上下方向、そして座面部フレーム２の両側部において奥行き方向に固定し張設し、それら固定部間で布帛がフレームに固定されない自由部が布長にして７５ｍｍ存在するようにして椅子を構成した。得られた椅子は布帛がフレームに固定されすぎていて、着座時に布帛が臀部及び腰下部に追従せず、座骨下に体圧が集中し、快適ではなかった。物性評価及び着座評価結果を表２に示す。【００３９】
【表２】
2019150827.tif 000004
【産業上の利用可能性】
【００４０】
本発明に係る椅子は、クッション性能を利用する各種用途の椅子として利用可能である。例えば、電車、乗用車などの車輌のシート、ソファ、カウチ、フォールディングチェア、リクライニングシート、介護用椅子、事務用椅子などとして利用可能である。
【符号の説明】
【００４１】
１  背面部フレーム
２  座面部フレーム
３  布帛
４  固定部
５  張力調整手段
６  座面部と背面部との間で布帛がフレームに固定されない自由部
７  ２枚の布帛が縫製されている連結部
【図１】
2019150827.tif 000005
【図２】
2019150827.tif 000006
【図３】
2019150827.tif 000007
【図４】
2019150827.tif 000008
【図５】
2019150827.tif 000009
【図６】
2019150827.tif 000010
【図７】
2019150827.tif 000011
【図８】
2019150827.tif 000012
【図９】
2019150827.tif 000013
【国際調査報告】
2019150827.tif 000014
2019150827.tif 000015
2019150827.tif 000016
2019150827.tif 000017